(57)【要約】【課題】ユーザが所望する複数のチャンネルの番組を同時に録画する放送受信装置を提供する。【解決手段】放送受信装置は、それぞれ割り当てられたチャンネルの放送信号を受信する複数の第１の受信手段と、前記複数の第１の受信手段それぞれに対して受信する放送信号のチャンネルを割り当てて固定し、前記録画時間帯に前記複数の第１の受信手段の数を上限とした録画対象チャンネルの選択および録画時間帯の設定に基づいて、前記録画対象チャンネルの番組を録画制御する制御手段とを有する。【選択図】    図１
2011066857.tif 000002
【特許請求の範囲】
【請求項１】
それぞれ割り当てられたチャンネルの放送信号を受信する複数の第１の受信手段と、
前記複数の第１の受信手段それぞれに対して受信する放送信号のチャンネルを割り当てて固定し、前記複数の第１の受信手段の数を上限とした録画対象チャンネルの選択および録画時間帯の設定に基づいて、前記録画時間帯に前記録画対象チャンネルの番組を録画制御する制御手段と、
を有することを特徴とする放送受信装置。
【請求項２】
前記制御手段は、選局対象となるチャンネルから前記複数の第１の受信手段の数を上限とした前記録画対象チャンネルの選択に基づいて、前記複数の第１の受信手段それぞれに前記録画対象チャンネルを割り当てることを特徴とする請求項１記載の放送受信装置。
【請求項３】
視聴用の映像を出力するために、選局対象となるチャンネルを切り替えて放送信号を受信する第２の受信手段と、
前記制御手段は、初期設定時に前記複数の第１の受信手段もしくは前記第２の受信手段のうちいずれか１つで前記選局対象となるチャンネルを検出することを特徴とする請求項２記載の放送受信装置。
【請求項４】
前記制御手段は、前記録画時間帯の設定画面の表示情報を出力することを特徴とする請求項３記載の放送受信装置。
【請求項５】
前記制御手段は、前記選局対象となるチャンネルを選択候補とする前記録画対象チャンネルの選択画面の表示情報を出力することを特徴とする請求項３記載の放送受信装置。
【請求項６】
前記制御手段は、前記選局対象となるチャンネル数で記録装置の記録領域を分割し、前記選局対象となるチャンネルごとに前記記録領域を指定することを特徴とする請求項３記載の放送受信装置。
【請求項７】
前記制御手段は、前記録画対象チャンネルの番組を同時間帯に複数録画制御する場合、記録開始時刻を段階的にずらすことを特徴とする請求項１記載の放送受信装置。
【請求項８】
前記制御手段は、特定のチャンネルの記録領域の容量が不足している場合、前記特定のチャンネルの最も古い番組から順に削除して録画制御することを特徴とする請求項４記載の放送受信装置。
【請求項９】
選局対象となるチャンネルから複数の受信手段の数を上限としたチャンネルの選択に基づいて、前記複数の受信手段それぞれに対して受信する放送信号のチャンネルを割り当てて固定し、
前記複数の受信手段それぞれで割り当てられたチャンネルの放送信号を受信し、
録画対象チャンネルの選択および録画時間帯の設定に基づいて、前記録画時間帯に前記録画対象チャンネルの番組を録画制御する、
ことを特徴とする録画方法。
【発明の詳細な説明】
【技術分野】
【０００１】
この発明は、複数のチューナを有する放送受信装置における録画制御技術に関する。
【背景技術】
【０００２】
周知のように、近年では、テレビジョン放送のデジタル化が推進されてきている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
デジタルテレビジョン放送受信装置は、複数のデジタル放送チューナを搭載したモデルも登場している。このようなデジタルテレビジョン放送受信装置は、視聴番組を表示しつつ裏番組を録画するなど高機能化している。デジタルテレビジョン放送受信装置に搭載されるデジタル放送チューナの数が増加すると、同時間帯に録画できる番組の数も増加する。
【０００４】
特許文献１には、複数のチューナを備え、選局頻度に応じて複数のチューナそれぞれで選局する放送信号のチャンネルを切り替える記録再生装置の構成について開示されている。
【先行技術文献】
【特許文献】
【０００５】
【特許文献１】特開２００７−３６４５３号公報
【発明の概要】
【発明が解決しようとする課題】
【０００６】
しかしながら、特許文献１に記載の記録再生装置は、ユーザの操作履歴などに応じて複数のチューナそれぞれで選局する放送信号のチャンネルを切り替えて設定する。そのため、特許文献１に記載の記録再生装置では、複数のチューナそれぞれで選局する放送信号のチャンネルが固定されていないため、ユーザが所望するチャンネルで放送する番組の録画設定が煩雑となる。
【０００７】
そこで、この発明は、ユーザが所望する複数のチャンネルの番組を同時に録画する放送受信装置を提供することを目的とする。
【課題を解決するための手段】
【０００８】
本発明に係る放送受信装置は、それぞれ割り当てられたチャンネルの放送信号を受信する複数の第１の受信手段と、前記複数の第１の受信手段それぞれに対して受信する放送信号のチャンネルを割り当てて固定し、前記複数の第１の受信手段の数を上限とした録画対象チャンネルの選択および録画時間帯の設定に基づいて、前記録画時間帯に前記録画対象チャンネルの番組を録画制御する制御手段とを有する。
【発明の効果】
【０００９】
上記した発明によれば、ユーザが所望する複数のチャンネルの番組を同時に録画する放送受信装置を提供できる。
【図面の簡単な説明】
【００１０】
【図１】本実施形態に係るデジタルテレビジョン放送受信装置の概略構成を示すブロック図。
【図２】本実施形態に係るデジタルテレビジョン放送受信装置に用いられるリモートコントローラの外観図。
【図３】本実施形態に係るチャンネル設定を説明するフローチャートである。
【図４】本実施形態に係るチャンネル設定におけるチャンネル設定画面を示す図である。
【図５】本実施形態に係るチャンネル設定におけるチャンネル設定画面を示す図である。
【図６】本実施形態に係るチャンネル設定におけるチャンネ変更確認画面を示す図である。
【図７】本実施形態に係るマルチチャンネル同時自動録画設定を説明するフローチャートである。
【図８】本実施形態に係るマルチチャンネル同時自動録画設定の変更確認画面を示す図である。
【図９】本実施形態に係るマルチチャンネル同時自動録画設定の設定画面を示す図である。
【図１０】本実施形態に係るマルチチャンネル同時自動録画設定のチャンネル選択画面を示す図である。
【図１１】本実施形態に係るマルチチャンネル同時自動録画設定の時間帯設定画面を示す図である。
【図１２】本実施形態に係るマルチチャンネル同時自動録画設定の録画時間帯の詳細設定画面を示す図である。
【発明を実施するための最良の形態】
【００１１】
以下、図面を参照し、本実施形態について説明する。図１は、本実施形態に係るデジタルテレビジョン放送受信装置１００の概略構成を示すブロック図である。すなわち、ＢＳ／ＣＳデジタル放送受信用のアンテナ１０で受信した衛星デジタルテレビジョン放送信号は、入力端子１１を介して衛星デジタル放送チューナ１２に供給される。衛星デジタル放送チューナ１２は、所望のチャンネルの放送信号を選局する。
【００１２】
そして、衛星デジタル放送チューナ１２で選局された放送信号は、ＰＳＫ（phase shift keying）復調モジュール１３に供給されて、デジタルの映像信号及び音声信号に復調された後、信号処理モジュール１４に出力される。
【００１３】
また、地上波放送受信用のアンテナ１５で受信した地上デジタルテレビジョン放送信号は、入力端子１６を介して視聴用地上デジタル放送チューナ１７に供給される。視聴用地上デジタル放送チューナ１７は、ユーザが所望するチャンネルの放送信号を切り替えて選局する。視聴用地上デジタル放送チューナ１７で選局された放送信号は、ＯＦＤＭ（orthogonal frequency division multiplexing）復調モジュール１８に供給されて、デジタルの映像信号及び音声信号に復調された後、上記信号処理モジュール１４に出力される。
【００１４】
第１の録画用地上デジタル放送チューナ１９で選局された放送信号は、ＯＦＤＭ復調モジュール２０に供給されて、デジタルの映像信号及び音声信号に復調された後、上記信号処理モジュール１４に出力される。
【００１５】
第２の録画用地上デジタル放送チューナ２１とＯＦＤＭ復調モジュール２２の組、第３の録画用地上デジタル放送チューナ２３とＯＦＤＭ復調モジュール２４の組、第４の録画用地上デジタル放送チューナ２５とＯＦＤＭ復調モジュール２６の組、第５の録画用地上デジタル放送チューナ２７とＯＦＤＭ復調モジュール２８の組、第６の録画用地上デジタル放送チューナ２９とＯＦＤＭ復調モジュール３０の組、第７の録画用地上デジタル放送チューナ３１とＯＦＤＭ復調モジュール３２の組、第８の録画用地上デジタ放送チューナ３３とＯＦＤＭ復調モジュール３４の組についても同様である。
【００１６】
本実施形態では、デジタルテレビジョン放送受信装置１００が、録画用地上デジタル放送チューナを８つ備えるケースについて説明するが、録画用地上デジタル放送チューナを７つ以下または９以上備える構成としてもよい。
【００１７】
上記信号処理モジュール１４は、ＰＳＫ復調モジュール１３、ＯＦＤＭ復調モジュール１８、ＯＦＤＭ復調モジュール２０、ＯＦＤＭ復調モジュール２２、ＯＦＤＭ復調モジュール２４、ＯＦＤＭ復調モジュール２６、ＯＦＤＭ復調モジュール２８、ＯＦＤＭ復調モジュール３０、ＯＦＤＭ復調モジュール３２、ＯＦＤＭ復調モジュール３４からそれぞれ供給されたデジタルの映像信号及び音声信号に対して、選択的に所定のデジタル信号処理を施し、グラフィック処理モジュール３６及び音声処理モジュール３９に出力している。
【００１８】
また、上記信号処理モジュール１４には、複数（図示の場合は４つ）の入力端子３５ａ，３５ｂ，３５ｃ，３５ｄが接続されている。これら入力端子３５ａ〜３５ｄは、それぞれ、アナログの映像信号及び音声信号を、デジタルテレビジョン放送受信装置１００の外部から入力可能とするものである。
【００１９】
この信号処理モジュール１４は、各入力端子３５ａ〜３５ｄからそれぞれ供給されたアナログの映像信号及び音声信号を選択的にデジタル化し、そのデジタル化された映像信号及び音声信号に対して所定のデジタル信号処理を施した後、グラフィック処理モジュール３６及び音声処理モジュール３９に出力している。
【００２０】
このうち、グラフィック処理モジュール３６は、信号処理モジュール１４から供給されるデジタルの映像信号に、ＯＳＤ（on screen display）信号生成モジュール３７で生成されるＯＳＤ信号を重畳して出力する機能を有する。このグラフィック処理モジュール３６は、信号処理モジュール１４の出力映像信号と、ＯＳＤ信号生成モジュール３７の出力ＯＳＤ信号とを選択的に出力すること、また、両出力をそれぞれ画面の半分を構成するように組み合わせて出力することができる。
【００２１】
グラフィック処理モジュール３６から出力されたデジタルの映像信号は、映像処理モジュール３８に供給される。映像処理モジュール３８により処理された映像信号は、映像表示器６１に供給され、また出力端子４１にも供給される。映像表示器６１は、映像信号に基づく映像を表示し、出力端子４１に対して外部機器が接続されると、出力端子４１に供給された映像信号は、外部機器へ入力される。
【００２２】
また、上記音声処理モジュール３９は、入力されたデジタルの音声信号を、前記スピーカ６２で再生可能なフォーマットのアナログ音声信号に変換した後、スピーカ６２に出力して音声再生させるとともに、出力端子４０を介して外部に導出させる。
【００２３】
ここで、このデジタルテレビジョン受像機１００は、上記した各種の受信動作を含むその全ての動作を制御モジュール４２によって統括的に制御されている。この制御モジュール４２は、ＣＰＵ（central processing unit）等を内蔵しており、前記操作モジュール６３からの操作情報、または、リモートコントローラ６４から送出され受光モジュール６５を介して受信した操作情報を受けて、その操作内容が反映されるように各モジュールをそれぞれ制御している。リモートコントローラ６４は、図２に示すようにカーソルキー（十字キー）６４ａ、決定キー６４ｂ、選局キー６４ｃ、戻るキー６４ｄを有する。
【００２４】
制御モジュール４２は、主として、そのＣＰＵが実行する制御プログラムを格納したＲＯＭ（read only memory）４３と、該ＣＰＵに作業エリアを提供するＲＡＭ（random access memory）４４と、各種の設定情報及び制御情報等が格納される不揮発性メモリ４５とを利用している。
【００２５】
信号処理モジュール１４には、内蔵ＨＤＤ（hard disk drive）４６が接続されている。内蔵ＨＤＤ４６は、後述するマルチチャンネル同時自動録画により、第１の録画用地上デジタル放送チューナ１９から第８の録画用地上デジタル放送チューナ３３それぞれで選局した放送信号の番組の映像信号及び音声信号を同時に記録する。本実施形態では、デジタルテレビジョン放送受信装置１００が、内蔵ＨＤＤを１つ備えるケースについて説明するが、内蔵ＨＤＤを２つ以上備える構成としてもよい。
【００２６】
本実施形態では、視聴用地上デジタル放送チューナ１７は、ユーザがリモートコントローラ６４の選局キー６４ｃを用いて視聴したいチャンネルを選択した場合、対応するチャンネルに切り替えて放送信号を選局する。映像表示器６１は、その放送信号に基づいて番組の映像を表示する。
【００２７】
第１の録画用地上デジタル放送チューナ１９から第８の録画用地上デジタル放送チューナ３３それぞれは、ユーザがリモートコントローラ６４を用いて指定したチャンネルに対応するサービスＩＤ（チャンネル）の放送信号を常に選局するように設定されている。サービスＩＤ（service ID）はサービスを識別するのもので、通常サービスは、視聴者が選局するチャネルと一致する。例えば、衛星放送にあってはトランスポンダ(Transponder)、ケーブル放送及び地上波放送にあっては物理チャンネル(Channel)の中に複数のチャンネルが存在する場合に、サービスＩＤは、一つのチャンネルを示すものである。制御モジュール４２は、予めユーザが設定した曜日および時刻になると、毎週、第１の録画用地上デジタル放送チューナ１９から第８の録画用地上デジタル放送チューナ３３のうちチャンネルが設定されているものを起動し、内蔵ＨＤＤ４６に複数のチャンネルの番組の映像信号および音声信号を記録する。この動作をマルチチャンネル同時自動録画という。
【００２８】
次に、第１の録画用地上デジタル放送チューナ１９から第８の録画用地上デジタル放送チューナ３３それぞれで選局する放送信号のチャンネル設定について説明する。図３は、チャンネル設定を説明するフローチャートである。はじめに、ユーザがリモートコントローラ６４を用いてチャンネル設定画面の表示を要求すると、制御モジュール４２は、映像表示器６１に図４に示すチャンネル設定画面を表示する（ステップＳ１０１）。
【００２９】
図４は、現在、第１の録画用地上デジタル放送チューナ１９から第８の録画用地上デジタル放送チューナ３３に設定されているチャンネルおよび放送局を表示したチャンネル設定画面を示す図である。初期設定時であれば、この設定画面には、いずれのチャンネルおよび放送局も表示されていない。
【００３０】
ユーザは、図４に示すチャンネル設定画面上で、チャンネル変更をする場合「はい」を、チャンネル変更をしない場合「いいえ」をリモートコントローラ６４のカーソルキー６４ｂで選択し、決定キー６４ａで決定する。
【００３１】
制御モジュール４２は、ユーザによる選択に基づいて、チャンネル変更が選択されたか否かを判断する（ステップＳ１０２）。チャンネル変更が選択されていない場合（ステップＳ１０２、ＮＯ）、制御モジュール４２は、第１の録画用地上デジタル放送チューナ１９から第８の録画用地上デジタル放送チューナ３３で選局する放送信号を現在設定されているチャンネルの放送信号のままに維持してチャンネル設定を終了する。
【００３２】
チャンネル変更が選択されている場合（ステップＳ１０２、ＹＥＳ）、制御モジュール４２は、映像表示器６１に図５に示すチャンネル設定画面を表示する（ステップＳ１０３）。図５は、現在、デジタルテレビジョン放送受信装置１００を使用している地域で選局可能な放送局およびチャンネルを一覧で表示したチャンネル設定画面を示す図である。
【００３３】
ここで、制御モジュール４２は、選局可能な放送信号に対応する放送局およびチャンネルの情報を以下のように取得する。制御モジュール４２は、デジタルテレビジョン放送受信装置１００の初期設定時に、視聴用地上デジタル放送チューナ１７を用いて、デジタルテレビジョン放送受信装置１００を使用している地域で選局可能な放送信号に対応するサービスＩＤを検出する。制御モジュール４２は、選局可能な放送信号に対応するサービスＩＤの情報を不揮発性メモリ４５に格納する。制御モジュール４２は、この情報に基づいて図５に示すチャンネル設定画面を映像表示器６１に表示する。制御モジュール４２は、視聴用地上デジタル放送チューナ１７に代えて第１の録画用地上デジタ放送チューナ１９から第８の録画用地上デジタ放送チューナ３３のいずれかを用いてもよい。
【００３４】
ユーザは、リモートコントローラ６４のカーソルキー６４ｂを用いてチャンネルおよび放送局が表示されたチャンネル欄のフォーカスを移動する。次に、ユーザは、第１の録画用地上デジタル放送チューナ１９から第８の録画用地上デジタル放送チューナ３３のいずれかで選局する放送信号に対応するチャンネルを決定キー６４ａで指定する。制御モジュール４２は、ユーザが所定のチャンネル数を超えてチャンネルを指定したか否かを判断する（ステップＳ１０４）。本実施形態では、ユーザは、最大で第１の録画用地上デジタル放送チューナ１９から第８の録画用地上デジタル放送チューナ３３の数に対応する８つのチャンネルを指定できる。
【００３５】
所定のチャンネル数（ここでは８つ）を超えた場合（ステップＳ１０４、ＹＥＳ）、制御モジュール４２は、所定数を超えたチャンネルの指定ができない旨を映像表示器６１に表示する。制御モジュール４２は、所定時間経過後、ステップＳ１０３に戻って、図５に示すチャンネル設定画面を映像表示器６１に表示する。
【００３６】
所定のチャンネル数（ここでは８つ）を超えていない場合（ステップＳ１０４、ＮＯ）、制御モジュール４２がユーザよるリモートコントローラ６４の戻るキー６４の押下を検出すると、ユーザが指定したチャンネルに変更があるか否かを判断する（ステップＳ１０５）。
【００３７】
チャンネル変更がない場合（つまり、図４で指定されていたチャンネルと図５で指定したチャンネルが同一の場合）（ステップＳ１０５、ＮＯ）、制御モジュール４２は、第１の録画用地上デジタル放送チューナ１９から第８の録画用地上デジタル放送チューナ３３で選局する放送信号を現在設定されているチャンネルの放送信号のままに維持してチャンネル設定を終了する。
【００３８】
チャンネル変更がある場合（つまり、図４で指定されていたチャンネルと図５で指定したチャンネルで１つでも異なる場合）（ステップＳ１０５、ＹＥＳ）、制御モジュール４２は、選択状態から非選択状態に変更となったチャンネルの番組が内蔵ＨＤＤ４６に記録されているか否かを判断する（ステップＳ１０６）。
【００３９】
選択状態から非選択状態に変更したチャンネルの番組が内蔵ＨＤＤ４６に記録されている場合（ステップＳ１０６、ＹＥＳ）、制御モジュール４２は、映像表示器６１に図６に示すチャンネル変更確認画面を表示する（ステップＳ１０７）。ユーザは、図６に示すチャンネル設定画面上で、チャンネル変更を許可する場合は「はい」を、チャンネル変更を許可しない場合は「いいえ」をリモートコントローラ６４のカーソルキー６４ｂで選択し、決定キー６４ａで決定する。
【００４０】
制御モジュール４２がユーザによる選択に基づいてチャンネル変更が許可されていないと判断した場合（ステップＳ１０７、ＮＯ）、制御モジュール４２は、第１の録画用地上デジタル放送チューナ１９から第８の録画用地上デジタル放送チューナ３３で選局する放送信号を現在設定されているサービスＩＤの放送信号のままに維持してチャンネル設定を終了する。
【００４１】
選択状態から非選択状態に変更したチャンネルの番組が内蔵ＨＤＤ４６に記録されていない場合（ステップＳ１０６、ＮＯ）、または、制御モジュール４２がユーザによる選択に基づいてチャンネル変更が許可されたと判断した場合（ステップＳ１０７、ＹＥＳ）、制御モジュール４２は、マルチチャンネル同時自動録画設定が「録画する」状態か否かを判断する（ステップＳ１０８）。
【００４２】
制御モジュール４２は、ステップＳ１０７でチャンネル変更が許可されたと判断した場合（ステップＳ１０７、ＹＥＳ）、選択状態から非選択状態に変更したチャンネルの同時録画番組の映像信号および音声信号を内蔵ＨＤＤ４６から削除するようにしてもよい。
【００４３】
ここで、「録画する」状態とは、第１の録画用地上デジタル放送チューナ１９から第８の録画用地上デジタル放送チューナ３３それぞれで選局する放送信号に対応するチャンネルが割り当てられて固定され、マルチチャンネル同時自動録画で実際に用いる録画チャンネルおよび録画時間帯が設定されている状態である。「録画しない」状態とは、第１の録画用地上デジタル放送チューナ１９から第８の録画用地上デジタル放送チューナ３３それぞれで選局する放送信号に対応するチャンネルが割り当てられて固定されているが、マルチチャンネル同時自動録画で実際に用いる録画チャンネルおよび録画時間帯が設定されていない状態である。
【００４４】
「録画する」状態が設定されている場合（ステップＳ１０８、ＹＥＳ）、制御モジュール４２は、第１の録画用地上デジタル放送チューナ１９から第８の録画用地上デジタル放送チューナ３３に対して新たに設定したチャンネルの放送信号を選局するように変更する。さらに、制御モジュール４２は、マルチチャンネル同時自動録画設定を「録画しない」状態に設定変更する（ステップＳ１０９）。制御モジュール４２は、チャンネル設定を終了する。制御モジュール４２は、マルチチャンネル同時自動録画によって番組を録画している場合、録画を中止する。
【００４５】
制御モジュール４２がステップＳ１０９でマルチチャンネル同時自動録画設定を「録画する」状態から「録画しない」状態に設定変更するのは、チャンネルが変更されたので、マルチチャンネル同時自動録画で実際に用いる録画チャンネルおよび録画時間帯を新たに設定する必要があるためである。
【００４６】
「録画する」状態が設定されていない場合（つまり、「録画しない」状態が設定されている場合）（ステップＳ１０８、ＮＯ）、制御モジュール４２は、第１の録画用地上デジタル放送チューナ１９から第８の録画用地上デジタル放送チューナ３３に対して新たに設定したチャンネルの放送信号を選局するように変更する（ステップＳ１０９）。制御モジュール４２は、チャンネル設定を終了する。
【００４７】
次に、マルチチャンネル同時自動録画設定について説明する。図７は、マルチチャンネル同時自動録画設定を説明するフローチャートである。はじめに、ユーザがリモートコントローラ６４を用いてマルチチャンネル同時自動録画設定画面の表示を要求すると、制御モジュール４２は、マルチチャンネル同時自動録画が「録画する」状態か否かを判断する（ステップＳ２０１）。
【００４８】
「録画する」状態が設定されている場合（ステップＳ２０１、ＹＥＳ）、制御モジュール４２は、図８に示すマルチチャンネル同時自動録画を「録画する」状態から「録画しない」状態への設定変更を確認する画面を映像表示器６１に表示する（ステップＳ２０２）。制御モジュール４２は、マルチチャンネル同時自動録画設定が「録画しない」状態の場合、ユーザの要求に応じて録画チャンネルおよび録画時間帯を設定できる。
【００４９】
ユーザは、図８に示す確認画面上で、「録画する」状態から「録画しない」状態への設定変更を許可する場合は「はい」を、許可しない場合は「いいえ」をリモートコントローラ６４のカーソルキー６４ｂで選択し、決定キー６４ａで決定する。
【００５０】
「録画する」状態から「録画しない」状態へ設定変更する場合（ステップＳ２０２、ＹＥＳ）、制御モジュール４２は、ステップＳ２０１に戻って「録画する」状態を確認する。「録画する」状態から「録画しない」状態へ設定変更しない場合（ステップＳ２０２、ＮＯ）、制御モジュール４２は、マルチチャンネル同時自動録画設定を終了する。
【００５１】
「録画する」状態が設定されていない場合（つまり、「録画しない」状態が設定されている場合）（ステップＳ２０１、ＮＯ）、制御モジュール４２は、図９に示すマルチチャンネル同時自動録画設定画面を映像表示器６１に表示する（ステップＳ２０３）。
【００５２】
図９は、図３に示すフローに従ってユーザが第１の録画用地上デジタル放送チューナ１９から第８の録画用地上デジタル放送チューナ３３それぞれで選局するように設定したチャンネルおよび放送局を一覧で表示したマルチチャンネル同時自動録画設定画面を示す図である。
【００５３】
ユーザが図９に示す録画設定画面上でリモートコントローラ６４を用いて「チャンネル設定」を選択すると、制御モジュール４２は、図１０に示すチャンネル選択画面を映像表示器６１に表示する（ステップＳ２０４）。ユーザは、リモートコントローラ６４を用いて所望の録画チャンネルを最大で９つ選択できる。ユーザが録画チャンネルの選択を終了し、リモートコントローラ６４を用いて「設定完了」を選択すると、制御モジュール４２は、図９に示す録画設定画面に戻して映像表示器６１に表示する。制御モジュール４２は、第１の録画用地上デジタル放送チューナ１９から第８の録画用地上デジタル放送チューナ３３に対して設定されたチャンネルのうち選択された録画チャンネルの情報を不揮発性メモリ４５に格納する。
【００５４】
ユーザが図９に示す設定画面上でリモートコントローラ６４を用いて「時間帯設定」を選択すると、制御モジュール４２は、図１１に示す時間帯設定画面を映像表示器６１に表示する（ステップＳ２０５）。ユーザは、録画時間帯を複数設定できる。ユーザがリモートコントローラ６４を用いて録画時間帯登録欄を選択すると、制御モジュール４２は、図１２に示す録画時間帯の詳細設定画面を映像表示器６１に表示する。ユーザは、録画する曜日および１日の中である単位の時間帯を指定して設定できる。ユーザが時間帯の設定を終了し、リモートコントローラ６４を用いて「設定完了」を選択すると、制御モジュール４２は、図９に示す録画設定画面に戻して映像表示器６１に表示する。制御モジュール４２は、選択された録画チャンネルの番組を録画する曜日および時間帯の情報を不揮発性メモリ４５に格納する。
【００５５】
ユーザが図９に示す録画設定画面上でリモートコントローラ６４を用いて「録画する」状態または「録画しない」状態の設定を選択すると、制御モジュール４２は、マルチチャンネル同時自動録画の状態を選択に応じて設定する（ステップＳ２０６）。制御モジュール４２は、マルチチャンネル同時自動録画設定を終了する。
【００５６】
制御モジュール４２は、マルチチャンネル同時自動録画について「録画する」状態が設定されている場合、毎週、予めユーザが設定した曜日および時刻になると、第１の録画用地上デジタル放送チューナ１９から第８の録画用地上デジタル放送チューナ３３のうち選択された録画チャンネルに対応するものを起動し、内蔵ＨＤＤ４６に複数のチャンネルの番組の映像信号および音声信号を同時に記録する。
【００５７】
制御モジュール４２は、ステップＳ２０４では、曜日および時間帯を設定しているが、時間帯のみ設定可能としてもよい。この場合、制御モジュール４２は、毎日、同時間帯にマルチチャンネル同時自動録画を起動する。
【００５８】
制御モジュール４２は、複数チャンネルの番組についてマルチチャンネル同時自動録画を起動する場合、複数チャンネルについて記録開始時刻を段階的に微妙にずらす。記録開始時刻がすれると、デジタルテレビジョン放送受信装置１００における動作負荷を低減できるため、記録動作の安定性が保たれる。
【００５９】
制御モジュール４２は、デジタルテレビジョン放送受信装置１００の初期設定時に内蔵ＨＤＤ４６をフォーマットする。制御モジュール４２は、選局可能な放送信号に対応するサービスＩＤの数に応じて内蔵ＨＤＤ４６の記録領域を分割する。制御モジュール４２は、例えば、内蔵ＨＤＤ４６の容量をサービスＩＤの数で等分する。つまり、制御モジュール４２は、内蔵ＨＤＤ４６の記録領域をサービスＩＤごとに同容量の記録領域を指定する。したがって、制御モジュール４２は、サービスＩＤに対して指定された内蔵ＨＤＤ４６の記録領域ごとにマルチチャンネル同時自動録画によるチャンネルごとに番組の映像信号および音声信号を記録する。
【００６０】
制御モジュール４２が特定のチャンネルのサービスＩＤに対して指定された内蔵ＨＤＤ４６の記録領域の空き容量が現在マルチチャンネル同時自動録画を実行して特定のチャンネルの番組を記録するには不足すると判断した場合、制御モジュール４２は次のように番組の記録動作を続行する。制御モジュール４２は、特定のチャンネルのサービスＩＤに対して指定された記録領域に記録されている映像信号および音声信号のうち最も古いものから削除もしく上書きして、現在録画中の番組の記録を続行する。したがって、内蔵ＨＤＤ４６の記録領域の空き容量が少なくなっても、マルチチャンネル同時自動録画が中断することはない。
【００６１】
本実施形態によれば、同時間帯に複数チャンネルの地上デジタル放送の番組を同時に録画できる。ユーザは、例えば同時間帯の地上デジタル放送について８チャンネル録画設定することにより、前週の同じ番組あるいは２週前の同じ番組を後から複数のチャンネルについて視聴できる。したがって、ユーザは、番組を見逃してしまう可能性を低減できる。
【００６２】
本実施形態では、制御モジュール４２は、内蔵ＨＤＤ４６に映像信号及び音声信号を記録しているが、ＨＤＭＩ端子、ＵＳＢ端子、ｉ．Ｌｉｎｋ端子等の各種端子に接続された外部機器のＨＤＤであっても同様である。
【００６３】
本実施形態は、図１に示すデジタルテレビジョン放送受信装置１００に適用できる旨を説明したが、これに限られない。本実施形態は、図１に示す構成から少なくとも映像表示器６１およびスピーカ６２を除いたセットトップボックス型に対しても適用できる。
【００６４】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００６５】
１７…視聴用地上デジタル放送チューナ、１９…第１の録画用地上デジタル放送チューナ、２１…第２の録画用地上デジタル放送チューナ、２３…第３の録画用地上デジタル放送チューナ、２５…第４の録画用地上デジタル放送チューナ、２７…第５の録画用地上デジタル放送チューナ、２９…第６の録画用地上デジタル放送チューナ、３１…第７の録画用地上デジタル放送チューナ、３３…第８の録画用地上デジタル放送チューナ、４２…制御モジュール、４６…内蔵ＨＤＤ、６１…映像表示器、６４…リモートコントローラ、１００…デジタルテレビジョン放送受信装置。
【図１】
2011066857.tif 000003
【図２】
2011066857.tif 000004
【図３】
2011066857.tif 000005
【図４】
2011066857.tif 000006
【図５】
2011066857.tif 000007
【図６】
2011066857.tif 000008
【図７】
2011066857.tif 000009
【図８】
2011066857.tif 000010
【図９】
2011066857.tif 000011
【図１０】
2011066857.tif 000012
【図１１】
2011066857.tif 000013
【図１２】
2011066857.tif 000014
【手続補正書】
【提出日】平成22年11月1日(2010.11.1)
【手続補正１】
【補正対象書類名】特許請求の範囲
【補正対象項目名】全文
【補正方法】変更
【補正の内容】
【特許請求の範囲】
【請求項１】
それぞれ割り当てられたチャンネルの放送信号を受信する複数の第１の受信手段と、
視聴用の映像を出力するために、選局対象となるチャンネルを切り替えて放送信号を受信する第２の受信手段と、
初期設定時に前記複数の第１の受信手段もしくは前記第２の受信手段のうちいずれか１つで前記選局対象となるチャンネルを検出し、前記複数の第１の受信手段それぞれに対して受信する放送信号のチャンネルを割り当てて固定し、前記選局対象となるチャンネルから前記複数の第１の受信手段の数を上限とした録画対象チャンネルの選択および録画時間帯の設定に基づいて、前記録画時間帯に前記録画対象チャンネルの番組を録画制御し、前記録画対象チャンネルの変更が要求され、かつ、変更対象のチャンネルの番組が記録装置に録画されている場合、前記変更対象のチャンネルの変更許否の確認メッセージを表示制御する制御手段と、
を有することを特徴とする放送受信装置。
【請求項２】
前記制御手段は、前記録画時間帯の設定画面の表示情報を出力することを特徴とする請求項１記載の放送受信装置。
【請求項３】
前記制御手段は、前記選局対象となるチャンネルを選択候補とする前記録画対象チャンネルの選択画面の表示情報を出力することを特徴とする請求項１記載の放送受信装置。
【請求項４】
前記制御手段は、前記選局対象となるチャンネル数で記録装置の記録領域を分割し、前記選局対象となるチャンネルごとに前記記録領域を指定することを特徴とする請求項１記載の放送受信装置。
【請求項５】
前記制御手段は、前記録画対象チャンネルの番組を同時間帯に複数録画制御する場合、記録開始時刻を段階的にずらすことを特徴とする請求項１記載の放送受信装置。
【請求項６】
前記制御手段は、特定のチャンネルの記録領域の容量が不足している場合、前記特定のチャンネルの最も古い番組から順に削除して録画制御することを特徴とする請求項２記載の放送受信装置。
【請求項７】
初期設定時に、それぞれ割り当てられたチャンネルの放送信号を受信する複数の第１の受信手段または視聴用の映像を出力するために、選局対象となるチャンネルを切り替えて放送信号を受信する第２の受信手段のうちいずれか１つで前記選局対象となるチャンネルを検出し、
前記選局対象となるチャンネルから複数の第１の受信手段の数を上限としたチャンネルの選択に基づいて、前記複数の第１の受信手段それぞれに対して受信する放送信号のチャンネルを割り当てて固定し、
前記複数の第１の受信手段それぞれで割り当てられたチャンネルの放送信号を受信し、
録画対象チャンネルの選択および録画時間帯の設定に基づいて、前記録画時間帯に前記録画対象チャンネルの番組を録画制御し、
前記録画対象チャンネルの変更が要求され、かつ、変更対象のチャンネルの番組が記録装置に録画されている場合、前記変更対象のチャンネルの変更許否の確認メッセージを表示制御する、
ことを特徴とする録画方法。